(57)【要約】【課題】ロック・ロック解除における利便性を損なわずに、ロック・ロック解除のセキュリティを向上させることができるようにする。【解決手段】本発明の情報処理装置においては、マルチメディア制御部はメディアコンテンツを再生し、入力部はロックまたはロック解除の実行時に用いられる１または複数の認証要素からなる認証情報を入力し、記憶部は認証情報と、認証情報の入力のタイミングに対応するメディアコンテンツの特徴量とを対応付けて記憶し、制御部は、ロックまたはロック解除を実行する場合におけるメディアコンテンツの再生中に、認証情報の入力のタイミングに対応するメディアコンテンツの特徴量を抽出し、ロックまたはロック解除の実行時に入力された認証情報および抽出されたメディアコンテンツの特徴量と、記憶されている認証情報およびメディアコンテンツの特徴量とが一致するか否かを判定し、判定結果に基づいてロックまたはロック解除の実行を制御する。【選択図】  図６
2010067220.tif 000002
【特許請求の範囲】
【請求項１】
メディアコンテンツを再生する再生手段と、
ロックまたはロック解除の実行時に用いられる１または複数の認証要素からなる認証情報を入力する入力手段と、
認証情報と、認証情報の入力のタイミングに対応する、前記再生手段により再生される前記メディアコンテンツの特徴量とを対応付けて記憶する記憶手段と、
ロックまたはロック解除を実行する場合における前記再生手段による前記メディアコンテンツの再生中に、認証情報の入力のタイミングに対応する、前記再生手段により再生される前記メディアコンテンツの特徴量を抽出し、ロックまたはロック解除の実行時に入力された認証情報および抽出された前記メディアコンテンツの特徴量と、前記記憶手段により記憶されている認証情報および前記メディアコンテンツの特徴量とが一致するか否かを判定するとともに、前記判定結果に基づいてロックまたはロック解除の実行を制御する制御手段とを備えることを特徴とする情報処理装置。
【請求項２】
前記記憶手段は、認証情報に含まれる少なくとも１つ以上の認証要素と、その認証要素の入力のタイミングに対応する前記メディアコンテンツの特徴量とを対応付けて記憶し、
前記制御手段は、ロックまたはロック解除の実行時に入力された認証情報および抽出された前記メディアコンテンツの特徴量と、前記記憶手段により記憶されている認証情報および前記メディアコンテンツの特徴量とが認証要素単位で一致するか否かを判定することを特徴とする請求項１に記載の情報処理装置。
【請求項３】
前記制御手段は、前記記憶手段により記憶されている前記メディアコンテンツの特徴量といずれかの認証要素にて一致しないと判定した場合、ロックまたはロック解除を実行しないように制御することを特徴とする請求項２に記載の情報処理装置。
【請求項４】
前記制御手段は、前記記憶手段により記憶されている前記メディアコンテンツの特徴量と所定の認証要素にて一致すると判定した場合、ロックまたはロック解除を実行するように制御することを特徴とする請求項２に記載の情報処理装置。
【請求項５】
前記メディアコンテンツには、オーディオデータ、動画像データ、およびオーディオデータと動画像データが多重化された多重化データが含まれることを特徴とする請求項１に記載の情報処理装置。
【請求項６】
前記メディアコンテンツが動画像データまたはオーディオデータと動画像データが多重化された多重化データである場合、前記メディアコンテンツの特徴量には、少なくともフレームの識別情報とその再生位置に関する情報が含まれることを特徴とする請求項１に記載の情報処理装置。
【請求項７】
ロックまたはロック解除の実行時に用いられる認証情報を構成する認証要素は、数字、文字または記号であることを特徴とする請求項１に記載の情報処理装置。
【発明の詳細な説明】
【技術分野】
【０００１】
本発明は情報処理装置に係り、特に、ロック機能が搭載された情報処理装置に関する。
【背景技術】
【０００２】
近年、情報処理装置としての携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されるようになってきている。
【０００３】
それに伴い、携帯電話機にはユーザに関する種々のデータが保存されるようになってきている。例えば携帯電話機に保存されているデータの中には、電話帳やメールなどのような個人情報が含まれる以外にも、携帯電話機の多機能化および高性能化に伴って重要なデータも含まれる可能性がある。そのため、近年、携帯電話機のセキュリティに対する重要性が高まっている。このような状況下、個人情報保護および重要な情報の漏洩防止のために、これらのデータが知らないうちに他人に見られたり、盗用されたりしないように、携帯電話機に予めロック（セキュリティロックやオートロックなど）をかけることが可能なロック機能が搭載されるようになってきている。ロック機能によって携帯電話機にロックがかけられると、携帯電話機のキー操作は無効となり、ロックを解除しない限り、携帯電話機のキー操作を有効とすることができなくなる。
【０００４】
携帯電話機をロックする技術として、例えば指紋や顔の形状などの生体情報を用いてロックまたはロック解除を行う技術も知られている。また、これ以外にも、例えば音楽を利用してロックまたはロック解除を行う技術も知られている（例えば特許文献１参照）。特許文献１に提案されている技術によれば、音楽再生時にキー操作または開閉操作を行って作成したリズムパターンと、携帯電話機に記憶されているリズムパターンとを比較判定し、その判定結果と適切なロック解除の種類を通知することができる。これにより、短い時間で暗証情報を入力することができ、かつ、より短い時間で暗証情報が入力された場合、限られた動作を行わせる個人認証処理を行うことができる。
【特許文献１】特開２００７−２３５８６７号公報
【発明の開示】
【発明が解決しようとする課題】
【０００５】
携帯電話機の場合、一般的にパーソナルコンピュータと比べて文字入力しづらく、そのため、携帯電話機をロックまたはロック解除する際には文字入力ではなく数字入力が用いられる。特にセキュリティ上の観点から、携帯電話機をロックまたはロック解除する際に複数桁（例えば４桁など）の数字入力が用いられる。しかしながら、複数桁の数字入力を用いる場合、ロック・ロック解除のコードとして使用可能な組み合わせの数には少なからず制限（ｎ桁の場合、１０ｎ通りの制限）がある。また、ユーザはロック・ロック解除のコードを誕生日などに基づいて設定することが多く、このようなコードは例えば免許証や健康保険証などに記載されている誕生日から容易に類推することができてしまう。そのため、複数桁の数字入力を用いる場合、携帯電話機のセキュリティ面で問題があった。勿論、複数桁の数字入力を用いる場合であっても、数字入力の桁数を増やせばその桁数の増加に伴ってセキュリティ面は向上するが、反面、桁数の増加によってロック・ロック解除のコードを管理することが難しくなってしまう。すなわち、意味をもたせづらい数字列をロック・ロック解除のコードとして用いてしまうと、その数字列をユーザが正しく記憶しておくことができるかどうかが問題となり、仮に数字列をメモ帳などに記録しておいてロック・ロック解除のコードの使用の際に数字列を確認することもできるが、ロック・ロック解除における利便性が損なわれてしまう。このような問題は、特許文献１に提案されている技術によっても解決することはできない。
【０００６】
本発明は、このような状況に鑑みてなされたものであり、ロック・ロック解除における利便性を損なわずに、ロック・ロック解除のセキュリティを向上させることができる情報処理装置を提供することを目的とする。
【課題を解決するための手段】
【０００７】
本発明の情報処理装置は、上述した課題を解決するために、メディアコンテンツを再生する再生手段と、ロックまたはロック解除の実行時に用いられる１または複数の認証要素からなる認証情報を入力する入力手段と、認証情報と、認証情報の入力のタイミングに対応する、再生手段により再生されるメディアコンテンツの特徴量とを対応付けて記憶する記憶手段と、ロックまたはロック解除を実行する場合における再生手段によるメディアコンテンツの再生中に、認証情報の入力のタイミングに対応する、再生手段により再生されるメディアコンテンツの特徴量を抽出し、ロックまたはロック解除の実行時に入力された認証情報および抽出されたメディアコンテンツの特徴量と、記憶手段により記憶されている認証情報およびメディアコンテンツの特徴量とが一致するか否かを判定するとともに、判定結果に基づいて、ロックまたはロック解除の実行を制御する制御手段とを備えることを特徴とする。
【発明の効果】
【０００８】
本発明によれば、ロック・ロック解除における利便性を損なわずに、ロック・ロック解除のセキュリティを向上させることができる。
【発明を実施するための最良の形態】
【０００９】
以下、本発明の実施の形態について、図面を参照しながら説明する。図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１０】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図２のアンテナ３１）が設けられており、内蔵されたアンテナを介して基地局（図示せず）との間で電波を送受信する。
【００１１】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１２】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１３】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１４】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１５】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００１６】
なお、第１の筐体１２は、背面側に図示しないバッテリパックが挿着されており、終話・電源キーがオン状態になると、バッテリパックから各回路部に対して電力が供給されて動作可能な状態に起動する。
【００１７】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図２のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図２のスピーカ５０）も設けられている。
【００１８】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００１９】
図２は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２０】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調整された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２１】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２２】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオ信号を受話増幅器３９に出力する。このアナログオーディオ信号は、受話増幅器３９にて増幅された後、レシーバ１８により出力される。
【００２３】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２４】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００２５】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２６】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２７】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００２８】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００２９】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３０】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３１】
電源回路４４は、バッテリ４３の出力を基に所定の動作電源電圧Ｖｃｃを生成して各回路部に供給する。また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３２】
発光素子５２は、例えばＬＥＤ（Light Emitting Diode）などからなり、ＬＥＤ制御部５１の制御に従い、メールの着信時や着呼時などに、ユーザにその旨を通知するために所定の発光パターンで発光する。バイブレータ５４は、バイブレータ制御部５３の制御に従い、メールの着信時や着呼時などに、ユーザにその旨を通知するために所定の振動パターンで振動する。
【００３３】
マルチメディア制御部５５は、例えば音楽制御機能を有する音楽プレイヤや、動画像再生に関するアプリケーションプログラムを実行することにより実現される動画像プレイヤ、あるいは、地上波ディジタルワンセグ放送波を受信する際のアプリケーションプログラムを実行することにより実現される地上波ディジタルワンセグプレイヤなどの各種のメディアプレイヤを制御する。マルチメディア制御部５５は、音楽制御機能を有する音楽プレイヤを実行し、記憶部４７に記憶されているオーディオデータの再生動作および一時停止動作や、巻戻し機能、早送り機能、音量ダウン動作、音量アップ動作などの実行を制御する。オーディオデータに基づく音声は、スピーカ５０やイヤフォン（図示せず）などから出力される。
【００３４】
また、マルチメディア制御部５５は、動画像プレイヤを実行し、多重分離処理、ビデオデコード処理、およびオーディオデコード処理を行う。すなわち、制御部４１は、動画像の再生に関するアプリケーションプログラムを実行し、オーディオデータと動画像データが多重化された多重化データをメディアごとに分離する（多重分離処理）とともに、分離後の動画像データを所定の復号化方式（例えばＭＰＥＧ（Moving Picture Experts Group）４などの所定の符号化方式）にて復号し、復号後のディジタル動画像信号を生成する（ビデオデコード処理）。このとき、制御部４１は、分離後のオーディオデータを所定の復号化方式にて復号し、復号後のディジタルオーディオ信号を生成する（オーディオデコード処理）。制御部４１は、復号処理により得られたディジタルオーディオ信号をＰＣＭコーデック３８に供給する。ＰＣＭコーデック３８は、制御部４１から出力されたディジタルオーディオ信号をＰＣＭ復号し、ＰＣＭ復号後のアナログオーディオデータ信号をスピーカ５０に出力する。このアナログオーディオ信号は、増幅された後、スピーカ５０により出力される。そして、制御部４１は、生成されたディジタル動画像信号を表示駆動部（図示せず）のビデオＲＡＭに記憶（格納）させる。このビデオＲＡＭへのディジタル動画像信号の描画は、１秒間に、再生する画像コンテンツに関して定められた描画回数ずつ行われる。次に、図示せぬ表示駆動部は、メインディスプレイ１７を駆動し、表示駆動部に内蔵されたビデオＲＡＭに記憶されているディジタル動画像信号に基づいて、メインディスプレイ１７のウィンドウＡに表示される表示画面の書き換えを、１秒間に、予め設定された所定の回数ずつ行う。
【００３５】
本発明の実施形態においては、携帯電話機１に搭載されるマルチメディア再生機能を、携帯電話機１のロック・ロック解除と組み合わせるようにする。これにより、ユーザの操作キー１４などの操作数を抑え、ロック・ロック解除における利便性を損なわずに、ロック・ロック解除のセキュリティを向上させることができる。以下、この方法を用いたロック・ロック解除設定処理について説明する。
【００３６】
図３のフローチャートを参照して、図２の携帯電話機１におけるロック・ロック解除設定処理について説明する。
【００３７】
ステップＳ１において、制御部４１は、操作キー１４が押下されたことを検出すると、ロック・ロック解除設定要求が受け付けられたか否かを判定し、ロック・ロック解除設定要求が受け付けられたと判定するまで待機する。ステップＳ１において制御部４１が、ロック・ロック解除設定要求が受け付けられたと判定した場合、制御部４１はステップＳ２で、メインディスプレイ１７を制御し、ロック・ロック解除に用いられるマルチメディアコンテンツを選択するための選択画面（マルチメディアコンテンツ選択画面）を表示させる。メインディスプレイ１７は、制御部４１の制御に従い、例えば図４に示されるように、マルチメディアコンテンツ選択画面を表示する。図４の場合、マルチメディアコンテンツ選択画面上には、マルチメディアコンテンツリストとしてコンテンツ１乃至３が表示されており、現在選択が可能なコンテンツ１がフォーカスされている（反転表示されている）。そして、制御部４１が、操作キー１４のうちの例えば確定キーが押下されたことを検出することで、リストアップされているコンテンツ１乃至３の中からいずれかのコンテンツを選択する。なお、このマルチメディアコンテンツには、例えば音楽プレイヤによって実行されるオーディオデータや、動画像プレイヤによって実行されるオーディオデータと動画像データが多重化された多重化データ（あるいは、動画像データのみ）などの種々のコンテンツが含まれる。
【００３８】
ステップＳ３において、制御部４１は、操作キー１４が押下されたことを検出することにより、ロック・ロック解除に用いられるマルチメディアコンテンツの選択をマルチメディアコンテンツ選択画面上にて受け付ける。例えば図４の場合、マルチメディアコンテンツ選択画面上にてコンテンツ１がフォーカスされているときに制御部４１が操作キー１４のうちの確定キーの押下を検出すると、ロック・ロック解除に用いられるマルチメディアコンテンツとしてコンテンツ１の選択を確定する。ステップＳ４において、マルチメディア制御部５５は、制御部４１の制御に従い、選択が受け付けられたマルチメディアコンテンツの再生を開始する。
【００３９】
例えば選択が受け付けられたマルチメディアコンテンツが動画像データである場合、図５に示されるように、動画像データに含まれるフレーム１乃至フレーム７の再生が時系列的に開始される。動画像データには、Ｉフレーム、Ｐフレーム、およびＢフレームが含まれているが、図５の場合、説明を簡便にするためにＩフレームに対応する画像のみが示されている。なお、このとき、メインディスプレイ１７には、選択が受け付けられたマルチメディアコンテンツが表示される。また、図５には、各Ｉフレームの再生位置（再生時刻）が示されており、例えばフレーム１の場合再生位置はｔ１であり、フレーム２の場合再生位置はｔ２である。
【００４０】
ステップＳ５において、制御部４１は、操作キー１４が押下されたことを検出すると、マルチメディアコンテンツの再生中にロック・ロック解除コードが入力されてロック・ロック解除コードの入力イベントが受信されたか否かを判定する。ステップＳ５において制御部４１が、ロック・ロック解除コードが入力されてロック・ロック解除コードの入力イベントが受信されたと判定した場合、制御部４１はステップＳ６で、ロック・ロック解除コードの入力イベントが受信された時刻（マルチメディアコンテンツの再生時刻に対応する時刻）に基づいて、ロック・ロック解除コードの入力時のマルチメディアコンテンツの特徴量を抽出する。
【００４１】
具体的には、図５に示されるように、操作キー１４のうちの「１」に割り当てられたキーがフレーム２の再生位置である時刻ｔ２から±α（ｍｓ）の時間帯で押下され、ロック・ロック解除コードとして「１」が入力された場合、時刻ｔ２に再生されるマルチメディアコンテンツの「フレーム２」に対応して、「フレーム２」の識別情報（例えば「フレーム２」の識別コードや識別番号など）がフレームの再生位置である時刻ｔ２±α（ｍｓ）とともにロック・ロック解除コードの入力時のマルチメディアコンテンツの特徴量として抽出される。また、操作キー１４のうちの「０」に割り当てられたキーがフレーム３の再生位置である時刻ｔ３から±α（ｍｓ）の時間帯で押下され、ロック・ロック解除コードとして「０」が入力された場合、時刻ｔ３に再生されたマルチメディアコンテンツの「フレーム３」に対応して、「フレーム３」の識別情報がフレームの再生位置である時刻ｔ３±α（ｍｓ）とともに、ロック・ロック解除コードの入力時のマルチメディアコンテンツの特徴量として抽出される。以下、同様である。
【００４２】
なお、ロック・ロック解除コードのうちのすべての数字についてマルチメディアコンテンツの特徴量を抽出しなくてもよく、例えば最初と最後の数字に関してのみマルチメディアコンテンツの特徴量を抽出するようにしてもよい。
【００４３】
なお、マルチメディアコンテンツの特徴量として、動画像の色彩や輪郭などの情報を抽出するようにしてもよい。
【００４４】
また、再生位置を基準とした±α（ｍｓ）の数値はユーザの好みに合わせて適宜変更するようにしてもよい。すなわち、αの数値が小さい値ほど、対応するＩフレームの識別情報が特徴量として抽出される時間帯が狭くなることから、携帯電話機１のロック・ロック解除時におけるセキュリティが向上する。但し、図５の場合、αの値は各Ｉフレームの再生位置の中間点に基づいて設定されている。さらに、特徴量として抽出されるフレーム識別情報を有するフレームはＩフレームに限られず、ＰフレームやＢフレームであってもよい。
【００４５】
ステップＳ７において、制御部４１は、ロック・ロック解除コードの入力数が満たされたか否かを判定する。例えば携帯電話機１をロックまたはロック解除する際に４桁の数字入力が用いられる場合には、４桁の数字入力がない限り、ロック・ロック解除コードの入力数が満たされていないと判定される。ステップＳ７において制御部４１が、ロック・ロック解除コードの入力数が満たされていないと判定した場合、処理はステップＳ５に戻り、ステップＳ５以降の処理が繰り返し実行される。
【００４６】
ステップ７において制御部４１が、ロック・ロック解除コードの入力数が満たされたと判定した場合、制御部４１は、入力されたロック・ロック解除コードと、マルチメディアコンテンツの特徴量とを対応付けて記憶部４２に記憶させる。具体的には、図５の場合、ロック・ロック解除コードとして「１０４８」が入力されるとともに、そのロック・ロック解除コード「１０４８」に対応してそれぞれ抽出されたマルチメディアコンテンツの特徴量が「フレーム２」の識別情報および再生位置である時刻ｔ２±α（ｍｓ）（「１」に対応する特徴量）、「フレーム３」の識別情報および再生位置である時刻ｔ３±α（ｍｓ）（「０」に対応する特徴量）、「フレーム５」の識別情報および再生位置である時刻ｔ５±α（ｍｓ）（「４」に対応する特徴量）、および「フレーム７」の識別情報および再生位置である時刻ｔ７±α（ｍｓ）（「８」に対応する特徴量）であることから、ロック・ロック解除コード「１０４８」とマルチメディアコンテンツの「フレーム２」の識別情報と再生位置である時刻ｔ２、「フレーム３」の識別情報と再生位置である時刻ｔ３、「フレーム５」の識別情報と再生位置である時刻ｔ５、および「フレーム７」の識別情報と再生位置である時刻ｔ７がそれぞれ対応付けられて記憶される。その後、ロック・ロック解除設定処理は終了する。
【００４７】
なお、ロック・ロック解除コード「１０４８」を、ロックまたはロック解除の実行時に用いられる認証情報と定義するとともに、ロック・ロック解除コード「１０４８」を構成する「１」、「０」、「４」、および「８」をロック・ロック解除の実行時に用いられる認証情報に含まれる認証要素と定義する。また、認証要素には、例えば数字や文字、記号などが含まれる。さらに、本発明の実施形態においては、ロック・ロック解除コードとして例えば４つの認証要素からなる「１０４８」を用いたが、このような場合に限られず、３以下または５つ以上の認証要素からなる認証情報を用いるようにしてもよい。
【００４８】
一方、ステップＳ５において制御部４１が、ロック・ロック解除コードが入力されてロック・ロック解除コードの入力イベントが受信されていないと判定した場合、制御部４１はステップＳ９で、選択が受け付けられたマルチメディアコンテンツの再生が終了したか、あるいは、操作キー１４が操作されることによりロック・ロック解除設定処理のキャンセル要求が受け付けられたか否かを判定する。ステップＳ９において制御部４１が、マルチメディアコンテンツの再生が終了していないし、かつ、ロック・ロック解除設定処理のキャンセル要求が受け付けられていないと判定した場合、処理はステップＳ５に戻り、ステップＳ５以降の処理が繰り返し実行される。
【００４９】
ステップＳ９において制御部４１が、マルチメディアコンテンツの再生が終了したか、あるいは、ロック・ロック解除設定処理のキャンセル要求が受け付けられたと判定した場合、制御部４１はステップＳ１０で、ロック・ロック解除設定が失敗したと認識し、処理はステップＳ１に戻る。
【００５０】
次に、図６のフローチャートを参照して、図２の携帯電話機１におけるロック・ロック解除実行処理について説明する。
【００５１】
ステップＳ２１において、制御部４１は、操作キー１４が押下されたことを検出すると、ロック・ロック解除実行要求が受け付けられたか否かを判定し、ロック・ロック解除実行要求が受け付けられたと判定するまで待機する。ステップＳ２１において制御部４１が、ロック・ロック解除実行要求が受け付けられたと判定した場合、制御部４１はステップＳ２２で、記憶部４２に記憶されているロック・ロック解除コードとともに、ロック・ロック解除コードに対応付けられて記憶されているマルチメディアコンテンツを読み出す。図５の場合、ロック・ロック解除コードとしての「１０４８」が読み出されるとともに、ロック・ロック解除コードに対応付けられて記憶されているマルチメディアコンテンツとして「コンテンツ１」が読み出される。
【００５２】
ステップＳ２３において、マルチメディア制御部５５は、制御部４１の制御に従い、読み出された、ロック・ロック解除コードに対応付けられて記憶されているマルチメディアコンテンツの再生を開始する。例えば図５の場合、動画像データに含まれるフレーム１乃至フレーム７の再生が開始される。このとき、ステップＳ２４において、マルチメディアコンテンツの再生が開始されるときとほぼ同時に、制御部４１は、メインディスプレイ１７を制御し、ロック・ロック解除コードを入力するためのロック・ロック解除コード入力画面を表示させる。メインディスプレイ１７は、制御部４１の制御に従い、ロック・ロック解除コードを入力するためのロック・ロック解除コード入力画面を表示する。例えば図７（Ａ）に示されるようなロック・ロック解除コード入力画面がロック・ロック解除時に表示される。これにより、ユーザは、マルチメディアコンテンツの再生中にロック・ロック解除コードを入力することができる。
【００５３】
ステップＳ２５において、制御部４１は、操作キー１４が押下されたことを検出すると、マルチメディアコンテンツの再生中にロック・ロック解除コードが入力されてロック・ロック解除コードの入力イベントが受信されたか否かを判定する。ステップＳ２５において制御部４１が、ロック・ロック解除コードが入力されてロック・ロック解除コードの入力イベントが受信されたと判定した場合、制御部４１はステップＳ２６で、ロック・ロック解除コードの入力イベントが受信された時刻（マルチメディアコンテンツの再生時刻に対応する時刻）に基づいて、ロック・ロック解除コードの入力時のマルチメディアコンテンツの特徴量を抽出する。なお、マルチメディアコンテンツの特徴量の抽出方法は、図３のステップＳ６の抽出方法と同様であり、その説明は繰り返しになるので省略する。
【００５４】
ステップＳ２７において、制御部４１は、ロック・ロック解除コード設定によって設定されたロック・ロック解除コードとそれに対応付けられて記憶されているマルチメディアコンテンツの特徴量とを読み出す。具体的には、図５の場合、ロック・ロック解除コード「１０４８」とマルチメディアコンテンツの「フレーム２」の識別情報と再生位置である時刻ｔ２±α（ｍｓ）、「フレーム３」の識別情報と再生位置である時刻ｔ３±α（ｍｓ）、「フレーム５」の識別情報と再生位置である時刻ｔ５±α（ｍｓ）、および「フレーム７」の識別情報と再生位置である時刻ｔ７±α（ｍｓ）がそれぞれ対応付けられて記憶されていることから、ロック・ロック解除コード「１０４８」に対応付けられて記憶されているこれらのマルチメディアコンテンツの特徴量が読み出される。
【００５５】
ステップＳ２８において、制御部４１は、マルチメディアコンテンツの再生中に入力されたロック・ロック解除コード、およびロック・ロック解除コードの入力時のマルチメディアコンテンツの特徴量が、読み出されたロック・ロック解除コード「１０４８」およびこれに対応付けられて記憶されているこれらのマルチメディアコンテンツの特徴量と一致するか否かを判定する。
【００５６】
例えば図７（Ｂ）に示されるように、操作キー１４のうちの「４」に割り当てられたキーがフレーム５の再生位置である時刻ｔ５から±α（ｍｓ）の時間帯で押下され、４桁のロック・ロック解除コードの１０の位として「４」が入力された場合、ロック・ロック解除コード「１０４８」中の１０の位は「４」であり、「フレーム５」の識別情報および再生位置である時刻ｔ５±α（ｍｓ）が予めロック・ロック解除コード「１０４８」中の１０の位である「４」に対応する特徴量として記憶されていることから、ロック・ロック解除コードおよびロック・ロック解除コードに対応付けられて記憶されているマルチメディアコンテンツの特徴量と一致すると判定される。なお、このとき、例えば一致したことを示す判定結果として「１」が付与される。
【００５７】
一方、例えば図７（Ｃ）に示されるように、操作キー１４のうちの「４」に割り当てられたキーがフレーム６の再生位置である時刻ｔ６から±α（ｍｓ）の時間帯で押下され、４桁のロック・ロック解除コードの１０の位として「４」が入力された場合、４桁のロック・ロック解除コードの１０の位の数字「４」とは一致するものの、ロック・ロック解除コード「１０４８」中の１０の位である「４」に対応する特徴量として記憶されている「フレーム５」の識別情報および再生位置である時刻ｔ５±α（ｍｓ）と異なることから、ロック・ロック解除コードおよびロック・ロック解除コードに対応付けられて記憶されているマルチメディアコンテンツの特徴量に一致しないと判定される。なお、このとき、例えば一致しなかったことを示す判定結果として「０」が付与される。
【００５８】
但し、マルチメディアコンテンツの再生中に入力されたロック・ロック解除コード自体が間違っている場合には、直ちにロック・ロック解除コードおよびロック・ロック解除コードに対応付けられて記憶されているマルチメディアコンテンツの特徴量に一致しないと判定される。なお、例えば最初と最後の数字に関してのみマルチメディアコンテンツの特徴量を抽出された上でロック・ロック解除コードと対応付けて記憶されている場合には、最初と最後の数字に関するマルチメディアコンテンツの特徴量が一致するか否かが判定され、これらに関して一致していればロック・ロック解除を実行するようにしてもよい。
【００５９】
ステップＳ２９において、制御部４１は、この判定結果を順次ＲＡＭに一時的に記憶させる。ステップＳ３０において、制御部４１は、ロック・ロック解除コードの入力数が満たされたか否かを判定する。ステップＳ３０において制御部４１が、ロック・ロック解除コードの入力数が満たされていないと判定した場合、処理はステップＳ２５に戻り、ステップＳ２５降の処理が繰り返し実行される。
【００６０】
一方、ステップＳ３０において制御部４１が、ロック・ロック解除コードの入力数が満たされていると判定した場合、制御部４１はステップＳ３１で、すべての判定結果が「１」であるか否かを判定する。ステップＳ３１において制御部４１が、すべての判定結果が「１」であると判定した場合、制御部４１はステップＳ３２で、ロック・ロック解除を実行する。
【００６１】
一方、ステップＳ３１において制御部４１が、いずれかの判定結果が「０」であると判定した場合、制御部４１はステップＳ３３で、ロック・ロック解除が失敗したと認識し、その後処理はステップＳ２１に戻る。これにより、すべての判定結果が「１」でない限り、携帯電話機１にてロック・ロック解除は実行されない。
【００６２】
ステップＳ２５において制御部４１が、ロック・ロック解除コードが入力されてロック・ロック解除コードの入力イベントが受信されていないと判定した場合、制御部４１はステップＳ３４で、マルチメディアコンテンツの再生が終了したか、あるいは、ユーザにより操作キー１４が操作されることによりロック・ロック解除実行処理のキャンセル要求が受け付けられたか否かを判定する。ステップＳ３４において制御部４１が、マルチメディアコンテンツの再生が終了していないし、かつ、ロック・ロック解除実行処理のキャンセル要求が受け付けられていないと判定した場合、処理はステップＳ２５に戻り、ステップＳ２５以降の処理が繰り返し実行される。
【００６３】
ステップＳ３４において制御部４１が、マルチメディアコンテンツの再生が終了したか、あるいは、ロック・ロック解除実行処理のキャンセル要求が受け付けられたと判定した場合、処理はステップＳ３３に進み、ロック・ロック解除設定が失敗したと認識され、処理はステップＳ２１に戻る。
【００６４】
本発明の実施形態においては、メディアコンテンツを再生し、ロックまたはロック解除の実行時に用いられる１または複数の認証要素からなる認証情報を入力し、認証情報と、認証情報の入力のタイミングに対応する、再生されるメディアコンテンツの特徴量とを対応付けて記憶し、ロックまたはロック解除を実行する場合におけるメディアコンテンツの再生中に、認証情報の入力のタイミングに対応する、再生されるメディアコンテンツの特徴量を抽出し、ロックまたはロック解除の実行時に入力された認証情報および抽出されたメディアコンテンツの特徴量と、記憶されている認証情報およびメディアコンテンツの特徴量とが一致するか否かを判定し、この判定結果に基づいてロックまたはロック解除の実行を制御することができる。
【００６５】
これにより、認証情報以外にもその認証情報の入力のタイミングとコンテンツの再生位置の関係を考慮した上でロック・ロック解除を実行することができ、ユーザの操作キー１４などの操作数を抑えつつ、ロック・ロック解除における利便性を損なわずに、ロック・ロック解除のセキュリティを向上させることができる。
【００６６】
なお、本発明の実施形態においては、ロック・ロック解除設定処理時に選択が受け付けられたマルチメディアコンテンツが動画像データである場合について明示的に記載したが、このような場合に限られず、例えば音楽プレイヤによって実行されるオーディオデータや、動画像プレイヤによって実行されるオーディオデータと動画像データが多重化された多重化データなどの種々のコンテンツを用いるようにしてもよい。マルチメディアコンテンツとしてオーディオデータが設定された場合、マルチメディアコンテンツの特徴量として例えば周波数成分と振幅などの値が抽出されてロック・ロック解除コードと対応付けられて記憶される。また、マルチメディアコンテンツとして多重化データが設定された場合、マルチメディアコンテンツの特徴量としてＩフレームおよびその再生位置に加えて、例えば周波数と振幅などの値が抽出されてロック・ロック解除コードと対応付けられて記憶される。さらに、ロック・ロック解除設定処理時に選択が受け付けられたマルチメディアコンテンツが複数の静止画像を用いたスライドショーとなるように構成してもよい。この場合、スライドショーを構成する複数の静止画像（例えば４つの静止画像）に対してロック・ロック解除コードが対応付けられて記憶される。
【００６７】
また、ロック・ロック解除設定処理時において複数のマルチメディアコンテンツを選択しておき、それぞれ異なるタイミング（再生位置）で同一または異なるロック・ロック解除コードを入力し、これらを対応付けて記憶するようにしてもよい。このとき、ロック・ロック解除実行処理時には、例えばランダムにいずれか１つのマルチメディアコンテンツが再生されて、それに応じたロック・ロック解除コードが入力されるようにしもよい。勿論、１回のロック・ロック解除実行処理において複数のマルチメディアコンテンツを再生しそれぞれに対応するロック・ロック解除コードを入力するようにしてもよい。これにより、ロック・ロック解除における利便性を損なわずに、ロック・ロック解除のセキュリティをより向上させることができる。
【００６８】
また、ロック・ロック解除実行時に、ユーザに複数のマルチメディアコンテンツの中から再生すべきマルチメディアコンテンツを選択させるようにしてもよい。
【００６９】
なお、認証情報の入力のタイミングとコンテンツの再生位置が連動していることから、ロック・ロック解除の実行時におけるマルチメディアコンテンツの再生開始位置や再生速度をランダムに切り替えるようにしてもよい。具体的には、図５に示されるマルチメディアコンテンツの場合、マルチメディアコンテンツの再生開始位置を予め設定されたマルチメディアコンテンツの再生開始位置であるフレーム１から開始するのではなく、マルチメディアコンテンツの再生開始位置をずらして「フレーム５」から開始させた上で、「フレーム５」→「フレーム６」→「フレーム７」→「フレーム１」→「フレーム２」→「フレーム３」→「フレーム４」のように再生させ、入力するべき認証情報として「１０４８」を「４８１０」のようにユーザに対して要求するようにしてもよい。
【００７０】
また、マルチメディアコンテンツの再生速度をランダムに切り替える場合、例えば再生速度を通常の再生速度の２倍や３倍、あるいは半分にするようにしてもよい。これにより、ロック・ロック解除における利便性を損なわずに、ロック・ロック解除のセキュリティをより向上させることができる。
【００７１】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００７２】
また、本発明の実施形態において説明した一連の処理は、ソフトウェアにより実行させることもできるが、ハードウェアにより実行させることもできる。
【００７３】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７４】
【図１】本発明に係る情報処理装置に適用可能な携帯電話機の外観の構成を示す図。
【図２】本発明に係る情報処理装置に適用可能な携帯電話機の内部の構成を示すブロック図。
【図３】図２の携帯電話機におけるロック・ロック解除設定処理を説明するフローチャート。
【図４】図２のメインディスプレイに表示されるマルチメディアコンテンツ選択画面の表示例を示す図。
【図５】ロック・ロック解除コードと抽出されるマルチメディアコンテンツの特徴量との対応関係を示す図。
【図６】図２の携帯電話機におけるロック・ロック解除実行処理を説明するフローチャート。
【図７】図２のメインディスプレイに表示されるロック・ロック解除コード入力画面の表示例を示す図。
【符号の説明】
【００７５】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…電池、４４…電源回路、４５…外部メモリインタフェース、４６…メモリカード、４７…時計回路、４８…地上波ディジタルワンセグ受信部、４９…地デジ処理部、５０…スピーカ、５１…ＬＥＤ制御部、５２…発光素子、５３…バイブレータ制御部、５４…バイブレータ、５５…マルチメディア制御部。
【図１】
2010067220.tif 000003
【図２】
2010067220.tif 000004
【図３】
2010067220.tif 000005
【図４】
2010067220.tif 000006
【図５】
2010067220.tif 000007
【図６】
2010067220.tif 000008
【図７】
2010067220.tif 000009